(57)【要約】    【課題】  コンテンツデータの盗用及び他人への配信が防止されるとともに、利用権が与えられたコンテンツデータの異なる再生装置での使用を可能とする認証サーバ、再生装置、記録媒体及び配信サーバを提供すること。    【解決手段】  ネットワーク３を介して、音楽の再生を許可する認証サーバ１と接続され、コンテンツデータの再生を行う再生装置２において、コンテンツデータと該コンテンツデータに付加された識別番号とを読み取るためのデータ入力部と、コンテンツデータに付加された識別番号を前記認証サーバ１に送信することにより、該コンテンツデータを再生するための許可を申請する申請手段と、申請されたコンテンツデータの再生を許可する指示を認証サーバ１から受信した場合のみ、コンテンツデータを再生手段に再生させる再生制御手段とを装備する。【選択図】  図１
2007305216.tif 000002
【特許請求の範囲】
【請求項１】
ネットワークを介して各再生装置と接続され、前記各再生装置による識別番号を有するコンテンツデータの再生を許可するための認証サーバにおいて、
前記各再生装置から再生の許可が申請されるコンテンツデータの識別番号を含んだ認証情報を受信し、受信した前記識別番号を有するコンテンツデータが他の再生装置により再生されていない場合、前記コンテンツデータの再生を許可する指示を申請側の再生装置に送信し、他方、受信した前記識別番号を有するコンテンツデータが他の再生装置により再生されている場合、前記コンテンツデータの再生を禁止する指示を前記申請側の再生装置へ送信する認証手段を備えていることを特徴とする認証サーバ。
【請求項２】
前記認証手段が、受信した前記識別番号が予め登録された再生禁止のコンテンツデータの識別番号の中に存在しておらず、しかも現在他の再生装置により再生されていない場合、前記コンテンツデータの再生を許可する指示を申請側の再生装置へ送信し、他方、受信した識別番号が前記再生禁止のコンテンツデータの識別番号の中に存在している場合、再生を禁止する指示を申請側の再生装置へ送信し、また、受信した識別番号を有するコンテンツデータが他の再生装置により再生されている場合、前記コンテンツデータの再生を禁止する指示を前記申請側の再生装置へ送信すると共に、受信した前記識別番号を前記再生禁止のコンテンツデータの識別番号として登録するものであることを特徴とする請求項１記載の認証サーバ。
【請求項３】
前記認証手段が、再生が許可されたコンテンツデータの識別番号を再生中のコンテンツデータの識別番号として登録し、前記コンテンツデータの再生終了通知を受信したら、前記コンテンツデータの識別番号を前記再生中のコンテンツデータの識別番号から消去するものであることを特徴とする請求項１又は請求項２に記載の認証サーバ。
【請求項４】
前記認証手段が、再生の許可が申請されるコンテンツデータの識別番号が前記再生中のコンテンツデータの識別番号の中に存在している場合、前記コンテンツデータが他の再生装置により再生されていると判断し、他方、再生の許可が申請されるコンテンツデータの識別番号が前記再生中のコンテンツデータの識別番号の中に存在していない場合、前記コンテンツデータが他の再生装置により再生されていないと判断するものであることを特徴とする請求項３記載の認証サーバ。
【請求項５】
ネットワークを介して、音楽の再生を許可する認証サーバと接続され、コンテンツデータの再生を行う再生装置において、
前記コンテンツデータと該コンテンツデータに付加された識別番号とを読み取るためのデータ入力部と、
前記コンテンツデータに付加された識別番号を前記認証サーバに送信することにより、該コンテンツデータを再生するための許可を申請する申請手段と、
申請されたコンテンツデータの再生を許可する指示を前記認証サーバから受信した場合のみ、前記コンテンツデータを再生手段に再生させる再生制御手段とを備えていることを特徴とする再生装置。
【請求項６】
前記申請手段が、再生が許可されたコンテンツデータの利用が終了したと判断した場合、前記コンテンツデータの再生終了通知を前記認証サーバへ送信させるものであることを特徴とする請求項５記載の再生装置。
【請求項７】
前記申請手段が、再生が許可されたコンテンツデータの再生が停止してから所定時間経過すると、該コンテンツデータの利用が終了したと判断するものであることを特徴とする請求項６記載の再生装置。
【請求項８】
コンテンツデータを記録するための記録媒体であって、
前記記録媒体のロット番号と前記コンテンツの番号とを含んだ識別番号が前記コンテンツの識別番号として記録されていることを特徴とする記録媒体。
【請求項９】
ネットワークを介してコンテンツデータを配信するサーバであって、
配信ロット番号と配信のコンテンツの番号とを含んだ識別番号を前記配信のコンテンツに付与することを特徴とする配信サーバ。
【発明の詳細な説明】
【技術分野】
【０００１】
本発明は認証サーバ、再生装置、記録媒体及び配信サーバに関し、より詳細には、著作権保護機能を有する認証サーバ、再生装置、記録媒体及び配信サーバに関する。
【背景技術】
【０００２】
ディジタル化技術の発展に伴って、インターネットを介して音楽等のディジタルコンテンツを大量に配信すること、及び、パーソナルコンピュータ等を介して受信したディジタルコンテンツデータをＣＤ、ＤＶＤ又はＨＤ等の記録媒体に記録して再生することが簡単になってきている。このため、著作権侵害の問題が深刻化してきており、これに対して、著作権の保護を図る様々な技術が開発されている。
【０００３】
例えば、下記の特許文献１に開示されているディジタルコンテンツの配布・利用方式では、暗号化されたディジタルデータとそのコンテンツの利用権チェック用コードをセットで配布するデータ配布媒体から受取る前記利用権チェック用コードと、前記コンテンツの利用権を持つ者のみが取得可能な利用権証明用コードとを照合し、認証された場合にのみ暗号化されたディジタルデータを復号して再生できることにより、著作権を保護することが提案されている。このような認証方法によれば、ディジタルデータの盗用を防止することができる。しかしながら、前記利用権チェック用コードが前記暗号化されたディジタルデータとともに、他人に配信された場合、利用権を持っていない者でも前記ディジタルデータを使用することができるので、著作権を確実に保護することができないといった課題があった。
【０００４】
また、下記の特許文献２に開示されているディスク状媒体のコピー防止システムでは、ディジタルデータが格納された媒体に記憶された被認証情報Ｄｉｄと、ＩＣカードに格納された被認証情報Ｄｉｄに対応する認証情報とを照合し、認証された場合にデータの読出しを可能とし、認証されない場合にデータの読出しを不可とすることにより、音楽ＣＤや映像再生用ＤＶＤなどのディスク状媒体のコピーを防止することが提案されている。このような認証方法によれば、ディジタルデータの盗用を防止することができる。しかしながら、前記ＩＣカードに格納された被認証情報が前記ディジタルデータとともに、他人に配信された場合、利用権を持っていない者でも前記ディジタルデータを使用することができるので、著作権を確実に保護することができないといった課題があった。
【０００５】
また、下記の特許文献３に開示されているデータ処理方法では、ネットワークを介して接続された複数の電子機器のうちの一つに、システム識別子を記憶させ、いずれかの電子機器で所定のディジタルデータを複製又は生成するときに、複製又は生成するディジタルデータに前記システム識別子を付加した付加データを生成させ、前記付加データをある電子機器で利用する場合には、当該電子機器または他の電子機器が記憶しているシステム識別子と前記付加データから抽出されるシステム識別子とを比較し、両者が一致する場合にのみ前記付加データの利用を許可することにより、ディジタルデータに関する移動、再生、複製等の使用の制限を緩和するとともに、著作権の保護を図ることが提案されている。このようはデータ処理方法によれば、利用権が与えられたシステムにおける複数の電子機器の間で、前記システム識別子が付加されたディジタルデータを共有することができ、利用権が与えられていないシステムにおける電子機器では、前記ディジタルデータの使用ができない。そのため、ディジタルデータの利用が電子機器によって制限されてしまい、ディジタルデータを異なるシステムでの利用ができなくなり、使用の利便性が損なわれてしまう課題があった。
【特許文献１】特開２００１−１４８１５６号公報
【特許文献２】特開２００３−０７７２１８号公報
【特許文献３】特開２００２−２３０８９５号公報
【発明の開示】
【課題を解決するための手段及びその効果】
【０００６】
本発明は上記課題に鑑みなされたものであって、コンテンツデータの盗用及び他人への配信が防止されるとともに、利用権が与えられたコンテンツデータの異なる再生装置での使用を可能とする認証サーバ、再生装置、記録媒体及び配信サーバを提供することを目的としている。
【０００７】
上記目的を達成するために本発明に係る認証サーバ（１）は、ネットワークを介して各再生装置と接続され、前記各再生装置による識別番号を有するコンテンツデータの再生を許可するための認証サーバにおいて、前記各再生装置から再生の許可が申請されるコンテンツデータの識別番号を含んだ認証情報を受信し、受信した前記識別番号を有するコンテンツデータが他の再生装置により再生されていない場合、前記コンテンツデータの再生を許可する指示を申請側の再生装置に送信し、他方、受信した前記識別番号を有するコンテンツデータが他の再生装置により再生されている場合、前記コンテンツデータの再生を禁止する指示を前記申請側の再生装置へ送信する認証手段を備えていることを特徴としている。
【０００８】
上記認証サーバ（１）によれば、ネットワークを介して接続されている各再生装置から再生が申請されるコンテンツデータの識別番号を含んだ認証情報を受信し、受信した前記識別番号を有するコンテンツデータが他の再生装置により再生されていない場合、前記コンテンツデータの再生を許可する指示を申請側の再生装置に送信させ、他方、受信した識別番号を有するコンテンツデータが他の再生装置により再生されている場合、前記コンテンツデータの再生を禁止する指示を前記申請側の再生装置へ送信するため、複製されたコンテンツデータが異なる再生装置から同時に再生を申請した場合、該コンテンツデータの不正複製が認証サーバにより検出され、該コンテンツデータの再生が禁止されるので、購入したコンテンツデータを複製して他人に配布するような著作権侵害の不正行為を防ぐことができる。一方、前記識別番号が付加された音楽コンテンツを購入した本人は、購入した音楽コンテンツを異なる記録媒体が使用される再生装置で再生したい場合（例えば、インターネットから購入した音楽コンテンツを、ＣＤ、ＤＶＤが使用されるステレオ又は車載用情報端末装置で再生したり、メモリカードが使用される携帯電話で再生したりする場合）、使用される記録媒体に前記コンテンツを複製すれば、異なる時間で異なる再生装置により前記音楽コンテンツを再生することができる。
【０００９】
また、本発明に係る認証サーバ（２）は、上記認証サーバ（１）において、前記認証手段が、受信した前記識別番号が予め登録された再生禁止のコンテンツデータの識別番号の中に存在しておらず、しかも現在他の再生装置により再生されていない場合、前記コンテンツデータの再生を許可する指示を申請側の再生装置へ送信し、他方、受信した識別番号が前記再生禁止のコンテンツデータの識別番号の中に存在している場合、再生を禁止する指示を申請側の再生装置へ送信し、また、受信した識別番号を有するコンテンツデータが他の再生装置により再生されている場合、前記コンテンツデータの再生を禁止する指示を前記申請側の再生装置へ送信すると共に、受信した前記識別番号を前記再生禁止のコンテンツデータの識別番号として登録するものであることを特徴としている。
【００１０】
上記認証サーバ（２）によれば、受信した前記識別番号が予め登録された再生禁止のコンテンツデータの識別番号の中に存在しておらず、しかも現在他の再生装置により再生されていない場合、前記コンテンツデータの再生を許可する指示を申請側の再生装置に送信するため、現時点まで不正複製が発見されていないコンテンツデータの再生が許可される。他方、受信した前記識別番号が予め登録された再生禁止のコンテンツデータの識別番号の中に存在している場合、再生を禁止する指示を申請側の再生装置に送信するため、既に不正複製が発見されたコンテンツデータの再生が禁止される。また、受信した識別番号を有するコンテンツデータが他の再生装置により再生されている場合、前記コンテンツデータの再生を禁止する指示を前記申請側の再生装置へ送信すると共に、受信した前記識別番号を前記再生禁止のコンテンツデータの識別番号として登録するため、コンテンツデータの不正複製が一度検出されたら、該コンテンツデータが再生禁止のコンテンツデータとして登録され、今後どの再生装置から該コンテンツデータを申請しても再生が許可されないので、不正複製行為又はデータ盗用行為を確実に防止することができる。なお、コンテンツデータが盗用された場合、購入者は購入先にコンテンツデータに付加された識別番号を更新させれば、盗用されたコンテンツデータが新しいコンテンツデータとして購入者だけに使用が再開されることができる。
【００１１】
また、本発明に係る認証サーバ（３）は、上記認証サーバ（１）又は（２）において、前記認証手段が、再生が許可されたコンテンツデータの識別番号を再生中のコンテンツデータの識別番号として登録し、前記コンテンツデータの再生終了通知を受信したら、前記コンテンツデータの識別番号を前記再生中のコンテンツデータの識別番号から消去するものであることを特徴としている。
【００１２】
上記認証サーバ（３）によれば、再生が許可されたコンテンツデータの識別番号を再生中のコンテンツデータの識別番号として登録することにより、前記コンテンツデータが現在再生中であることを表示し、異なる再生装置から前記コンテンツデータを申請したら、該コンテンツデータが不正複製されたことを検出することができる。また、前記コンテンツデータの再生終了通知を受信したら、前記コンテンツデータの識別番号を前記再生中のコンテンツデータの識別番号から消去することにより、前記コンテンツデータの再生が終了された後、他の再生装置による前記コンテンツデータの再生が可能になる。
【００１３】
また、本発明に係る認証サーバ（４）は、上記認証サーバ（３）において、前記認証手段が、再生の許可が申請されるコンテンツデータの識別番号が前記再生中のコンテンツデータの識別番号の中に存在している場合、前記コンテンツデータが他の再生装置により再生されていると判断し、他方、再生の許可が申請されるコンテンツデータの識別番号が前記再生中のコンテンツデータの識別番号の中に存在していない場合、前記コンテンツデータが他の再生装置により再生されていないと判断するものであることを特徴としている。
【００１４】
上記認証サーバ（４）によれば、再生の許可が申請されるコンテンツデータの識別番号が前記再生中のコンテンツデータの識別番号の中に存在しているか否かを判断することにより、再生の許可が申請されるコンテンツデータが他の再生装置により再生されているか否かを判断することができる。
【００１５】
また、本発明に係る再生装置（１）は、ネットワークを介して、音楽の再生を許可する認証サーバと接続され、コンテンツデータの再生を行う再生装置において、前記コンテンツデータと該コンテンツデータに付加された識別番号とを読み取るためのデータ入力部と、前記コンテンツデータに付加された識別番号を前記認証サーバに送信することにより、該コンテンツデータを再生するための許可を申請する申請手段と、申請されたコンテンツデータの再生を許可する指示を前記認証サーバから受信した場合のみ、前記コンテンツデータを再生手段に再生させる再生制御手段とを備えていることを特徴としている。
【００１６】
上記再生装置（１）によれば、前記コンテンツデータと該コンテンツデータに付加された識別番号とを読み取るためのデータ入力部を備えているため、再生されるコンテンツデータとその識別番号を読み取ることができる。また、前記コンテンツデータに付加された識別番号を前記認証サーバへ送信することにより、該コンテンツデータを再生するための許可を申請し、申請されたコンテンツデータの再生を許可する指示を受信した場合のみ、該コンテンツデータを再生手段に再生させるため、認証サーバの許可を前提で識別番号を有するコンテンツデータを再生することにより、著作権の保護を図ることができる。
【００１７】
また、本発明に係る再生装置（２）は、上記再生装置（１）において、前記申請手段が、再生が許可されたコンテンツデータの利用が終了したと判断した場合、前記コンテンツデータの再生終了通知を前記認証サーバへ送信させるものであることを特徴としている。
上記再生装置（２）によれば、再生が許可されたコンテンツデータの利用が終了したと判断した場合、前記コンテンツデータの再生終了通知を前記認証サーバへ送信させるため、前記認証サーバに前記コンテンツデータの再生状況を知らせ、他の再生装置による前記コンテンツデータの再生を可能にする。
【００１８】
また、本発明に係る再生装置（３）は、上記再生装置（２）において、前記申請手段が、再生が許可されたコンテンツデータの再生が停止してから所定時間経過すると、該コンテンツデータの利用が終了したと判断するものであることを特徴としている。
上記再生装置（３）によれば、再生が許可されたコンテンツデータの再生が停止してから所定時間経過すると、該コンテンツデータの利用が終了したと判断するため、例えば、前記コンテンツデータを繰り返して再生を行う場合、または、前記コンテンツデータの再生が失敗して、再生をやり直したい場合、再生が停止してから所定時間以内であれば、再度サーバへ再生の許可を申請しなくても、そのまま再生を繰り返すことができる。
【００１９】
また、本発明に係る記録媒体（１）は、コンテンツデータを記録するための記録媒体であって、前記記録媒体のロット番号と前記コンテンツの番号とを含んだ識別番号が前記コンテンツの識別番号として記録されていることを特徴としている。
上記記録媒体（１）によれば、前記記録媒体のロット番号と前記コンテンツの番号とを含んだ識別番号が前記コンテンツの識別番号として記録されているため、各々のコンテンツデータに対して唯一の識別番号を与えることができる。
【００２０】
また、本発明に係る配信サーバ（１）は、ネットワークを介してコンテンツデータを配信するサーバであって、配信ロット番号と配信のコンテンツの番号とを含んだ識別番号を前記配信のコンテンツに付与することを特徴としている。
上記配信サーバ（１）によれば、配信ロット番号と配信のコンテンツの番号とを含んだ識別番号を前記配信のコンテンツに付与するため、各々のコンテンツデータに対して唯一の識別番号を与えることができる。
【発明を実施するための最良の形態】
【００２１】
図１は、本発明の実施の形態に係る認証サーバ、再生装置、記録媒体及び配信サーバを含んで構成されたシステムの要部を概略的に示した構成図である。図中１は認証サーバを示しており、認証サーバ１はネットワーク３を介して、音楽データを配信する配信サーバ４、各再生装置２とそれぞれ接続されている。
【００２２】
再生装置２は、様々な記録媒体（例えば、ＣＤ５、ＤＶＤ（図示せず）、ＨＤ（図示せず）、メモリカード（図示せず）、テープ（図示せず））に記録された音楽データを読み取り、又はネットワーク３を介して配信サーバ４から音楽データをダウンロードしてＨＤに記憶することが可能である。
【００２３】
記憶媒体（例えば、ＣＤ５）では、記録された音楽データに対して、該音楽データを識別するための識別番号が記録されている。該識別番号は、記録媒体のロット番号と曲の番号とを含んだ識別コードである。例えば、ＣＤ５は音楽アルバムが記録された場合、ＣＤ５のロット番号は「０６０１０５Ｂ１０」とすれば、ＣＤ５に記憶された第１番目の曲の識別番号を「０６０１０５Ｂ１０−０１」とすることができる。
【００２４】
配信サーバ４では、音楽データを配信する時に、配信する音楽データに対して、該音楽データを識別するための識別番号を音楽データとともにユーザへ配信する。該識別番号は、配信ロット番号と曲の番号からなる識別コードである。例えば、配信サーバ４から音楽アルバムを配信する場合、配信ロット番号は「ＤＤ０５０７１２ＣＢ１」とすれば、第２番目の曲の識別番号を「ＤＤ０５０７１２ＣＢ１０２」とすることができる。
【００２５】
再生装置２は、読み取った音楽データの中に識別番号が付加された場合、まず音楽データに付加された識別番号を取り出して認証サーバ１に送信することにより音楽データの再生を申請し、認証サーバ１から再生許可を受信したら、音楽データを再生するように構成されている。
【００２６】
認証サーバ１は、各再生装置２に対して、識別番号が付加された音楽データの再生を許可するためのものであり、再生装置２から識別番号を受信した場合、受信した前記識別番号が予め登録された再生禁止の音楽データの識別番号の中に存在しておらず、しかも現在他の再生装置により再生されていない場合、申請された音楽データの再生を許可する指示を申請側の再生装置２へ送信させ、他方、受信した識別番号が再生禁止の音楽データの識別番号の中に存在している場合、再生を禁止する指示を申請側の再生装置２へ送信し、また、受信した識別番号を有する音楽データが他の再生装置により再生されている場合、前記音楽データの再生を禁止する指示を申請側の再生装置２へ送信すると共に、前記音楽データの識別番号を再生禁止の音楽データの識別番号として登録するように構成されている。
【００２７】
図２は、認証サーバ１及び再生装置２のそれぞれの構成を概略的に示したブロック図である。図中、認証サーバ１は、音楽データの識別番号を含んだ認証情報を受信し、再生を許可する指示又は再生を禁止する指示を送信する送受信装置１１と、受信した認証情報、再生禁止の音楽データの識別番号、再生中の音楽データの識別番号及び処理プログラムなどのデータを記憶する記憶装置１２と、データの入出力を行う操作＆表示装置１４と、送受信制御、音楽データの認証などの処理プログラムを実行するＣＰＵ１３とを含んで構成されている。ＣＰＵ１３は、送受信装置１１、記憶装置１２及び操作＆表示装置１４とそれぞれ接続されている。
【００２８】
一方、再生装置２は、音楽データの識別番号を含んだ認証情報を認証サーバ１へ送信し、認証サーバ１から再生を許可する指示又は再生を禁止する指示を受信する送受信装置２１と、音楽データと該音楽データの識別番号とを含んだデータ、及び送受信制御、再生許可の申請、再生制御などを行う処理プログラムを記憶する記憶装置２３と、記録媒体（ＣＤ５、ＤＶＤ、ＨＤ、記憶装置カード及びテープのうちの少なくとも１つ）から音楽データ及び該音楽データの識別番号を読み取るデータ読取装置２４と、音楽データをアナログ音楽信号に変換する音楽再生手段２５と、音楽を出力するスピーカ２６と、再生指示、選曲指示などの操作指示を入力し、再生情報を表示する操作＆表示装置２７と、送受信制御、再生申請、再生制御などの処理プログラムを実行するＣＰＵ２２とを含んで構成されている。ＣＰＵ２２は、送受信装置２１、記憶装置２３、データ読取装置２４、音楽再生手段２５及び操作＆表示装置２７とそれぞれ接続されている。
また、認証サーバ１の送受信装置１１はネットワーク３を介して再生装置２の送受信装置２１と接続されている。
【００２９】
次に、認証サーバ１が行う処理動作及び再生装置２が行う音楽再生処理動作を図３に示したフローチャートに基づいて説明する。図中、ステップＳ１０〜Ｓ２１は再生装置２が行う処理動作を示し、ステップＳ３０〜Ｓ３９は認証サーバ１が行う処理動作を示す。
【００３０】
まず、再生装置２は、ステップＳ１０において、音楽の再生が指示されたか否かを判断し、音楽の再生が指示されていないと判断した場合、ステップＳ１０に戻り、他方、音楽の再生が指示されたと判断した場合、ステップＳ１１に進む。
【００３１】
ステップＳ１１では、記録媒体（ＣＤ、ＤＶＤ、ＨＤ、記憶装置カード及びテープのうちのいずれか）から、再生が指定された音楽の音楽データＭＤを読み込み、その後、ステップＳ１２に進む。ステップＳ１２では、音楽データＭＤに付加された識別番号ＭＩを取り出し、その後、ステップＳ１３に進む。ステップＳ１３では、識別番号ＭＩを認証サーバ１へ送信することにより、音楽データＭＤの再生の許可を申請する。
【００３２】
一方、認証サーバ１は、ステップＳ３０において、再生装置２から認証データ（即ち、再生の許可が申請される音楽データの識別番号）を受信したか否かを判断し、音楽データの識別番号を受信していないと判断した場合、ステップＳ３０に戻るが、再生装置２より識別番号ＭＩが送信された場合（ステップＳ１３）、音楽データの識別番号ＭＩを受信したと判断し、ステップＳ３１に進む。
【００３３】
ステップＳ３１では、受信した識別番号ＭＩが記憶装置１２に記憶されている再生禁止の音楽データの識別番号として登録されているか否かを判断し、識別番号ＭＩが再生禁止の音楽データの識別番号として登録されていないと判断した場合、ステップＳ３３に進む。
【００３４】
ステップＳ３３では、識別番号ＭＩが記憶装置１２に記憶されている再生中の音楽データの識別番号として登録されているか否かを判断し、識別番号ＭＩが再生中の音楽データの識別番号として登録されていないと判断した場合、ステップＳ３４に進む。ステップＳ３４では、音楽データＭＤの再生を許可する指示を申請側の再生装置２へ送信し、その後、ステップＳ３５に進む。ステップＳ３５では、識別番号ＭＩを再生中の音楽データの識別番号として登録し、記憶装置１２に記憶させる。
【００３５】
一方、再生装置２では、ステップＳ１４において、認証サーバ１から音楽データＭＤの再生を許可する指示を受信したか否かを判断し、再生を許可する指示を受信していないと判断した場合、ステップＳ２０へ進み、認証サーバ１より再生を許可する指示が送信された場合（ステップＳ３４）、再生を許可する指示を受信したと判断し、音楽データＭＤを再生する指示信号を音楽再生手段２５に出力し（ステップＳ１５）、その後、ステップＳ１６に進む。
【００３６】
ステップＳ１６では、音楽データＭＤの再生が停止したか否かを判断し、音楽データＭＤの再生が停止していないと判断した場合、ステップＳ１６に戻り、他方、音楽データＭＤの再生が停止したと判断した場合、ステップＳ１７進。ステップＳ１７では、音楽データＭＤの再生が指示されたか否かを判断し、音楽データＭＤの再生が指示されたと判断した場合、ステップＳ１５に戻り、他方、音楽データＭＤの再生が指示されなかったと判断した場合、ステップＳ１８に進む。ステップＳ１８では、時間ＴＤ（例えば１分間）を経過したか否かを判断し、時間ＴＤを経過していないと判断した場合、ステップＳ１８に戻り、他方、時間ＴＤを経過したと判断した場合、ステップＳ１９に進む。ステップＳ１９では、音楽データＭＤの利用が終了したと判断して再生終了通知を認証サーバ１へ送信し、その後、処理動作を終了する。
【００３７】
一方、認証サーバ１では、ステップＳ３６において、再生が許可された音楽データの再生終了通知を受信したか否かを判断し、再生終了通知を受信していないと判断した場合、ステップＳ３６に戻るが、申請側の再生装置２から音楽データＭＤの再生終了通知が送信された場合（ステップＳ１８）、再生終了通知を受信したと判断し、ステップＳ３７に進む。ステップＳ３７では、再生中の音楽データの識別番号から識別番号ＭＩを消去し、その後、処理動作を終了する。
【００３８】
また、認証サーバ１は、ステップＳ３１において、受信した識別番号ＭＩが記憶装置１２に記憶されている再生禁止の音楽データの識別番号として登録されていると判断した場合、音楽データＭＤの再生を禁止する指示を申請側の再生装置２へ送信し（ステップＳ３２）、その後、処理動作を終了する。
【００３９】
また、認証サーバ１は、ステップＳ３３において、受信した識別番号ＭＩが再生中の音楽データの識別番号として登録されていると判断した場合、ステップＳ３８に進む。ステップＳ３８では、申請側の再生装置２に音楽データＭＤの再生を禁止する指示を送信し、識別番号ＭＩを再生禁止の音楽データの識別番号として登録し、記憶装置１２に記憶させ（ステップＳ３９）、その後、処理動作を終了する。
【００４０】
一方、再生装置では、ステップＳ２０において、音楽データＭＤの再生を禁止する指示を受信したか否かを判断し、音楽データＭＤの再生を禁止する指示を受信していないと判断した場合、ステップＳ１４へ戻るが、認証サーバ１から音楽データＭＤの再生を禁止する指示が送信された場合（ステップＳ３２、またはステップＳ３８）、音楽データＭＤの再生を禁止する指示を受信したと判断し、音楽データＭＤの再生が禁止された旨のメッセージ（例えば、指定された曲の再生が禁止されています）を操作＆表示装置２７に出力させ（ステップＳ２１）、その後、処理動作を終了する。
【００４１】
なお、再生禁止の音楽データとしてその識別番号が登録された音楽データは不正複製されたデータとして、使用が禁止されるようになっているが、購入した音楽データが盗用された場合では、購入者本人は購入先に音楽データの識別番号を更新させることにより、盗用された音楽データが新しい音楽データとして、認証サーバ１に認証されるようになっている。
【００４２】
上記実施の形態に係る認証サーバ１及び再生装置２によれば、ネットワーク３を介して認証サーバ１に接続されている再生装置２は、著作権保護のための認識番号が付加された音楽データを再生する場合、まず、再生する音楽データの認識番号を認証サーバ１に送信することにより音楽データを再生するための許可を申請し、認証サーバ１から再生を許可する指示を得てから、音楽データを再生するため、認証番号が付加された音楽データの著作権を保護することができる。
【００４３】
一方、認証サーバ１は、受信した識別番号を有する音楽データが再生禁止の音楽データではなく、しかも現在再生中の音楽データでもない場合、前記音楽データの再生を許可する指示を申請側の再生装置２へ送信するため、現時点まで不正複製が発見されていない音楽データの再生が許可される。他方、受信した識別番号を有する音楽データが前記再生禁止の音楽データである場合、再生を禁止する指示を申請側の再生装置に送信するため、既に不正複製が発見された音楽データの使用が禁止される。さらに、受信した識別番号を有する音楽データが他の再生装置により再生されている場合、該音楽データの再生を禁止する指示を申請側の再生装置２へ送信すると共に、前記音楽データを再生禁止の音楽データとして登録するため、音楽データの不正複製が一度検出されたら、該音楽データが再生禁止の音楽データとして登録され、今後どの再生装置２から該音楽データを申請しても再生が許可されないので、購入した音楽データを複製して他人に配布するような著作権侵害の不正行為を防ぐことができる。一方、著作権で保護される音楽データを購入した本人は、購入した音楽データを異なる記録媒体が使用される再生装置（例えば、ＣＤ、ＤＶＤ、テープが使用されるステレオ、ＣＤ、ＤＶＤ、ＨＤ、記憶装置カードが使用されるパーソナルコンピュータ、ＣＤ、ＤＶＤが使用される車載用情報端末装置、記憶装置カードが使用される携帯電話など）で再生したい場合、前記音楽データを異なる記録媒体に複製すれば、異なる時間で、異なる再生装置（ネットワーク３を介して認証サーバ１に接続されたもの）により複製の音楽コンテンツを再生することができるので、使用の利便性を向上させることができる。
【００４４】
なお、上記実施の形態には、音楽データがコンテンツデータとしている採用されているが、他の実施の形態では、他のディジタルデータ（例えば、文字データ、画像データ、映像データ等）をコンテンツデータとしてもよい。
【図面の簡単な説明】
【００４５】
【図１】本発明の実施の形態に係る認証サーバと再生装置とを含んで構成されたシステムの要部を概略的に示した構成図である。
【図２】認証サーバ及び再生装置のそれぞれの構成を概略的に示したブロック図である。
【図３】認証サーバが行う認証処理動作及び再生装置が行う音楽再生処理動作を示すフローチャートである。
【符号の説明】
【００４６】
１          認証サーバ
２          再生装置
３          ネットワーク
４          サーバ
５          ＣＤ
１１、２１  送受信装置
１２、２３  記憶装置
１３、２２  ＣＰＵ
１４、２７  操作＆表示装置
２４        データ読取装置
２５        音楽再生手段
２６        スピーカ
【図１】
2007305216.tif 000003
【図２】
2007305216.tif 000004
【図３】
2007305216.tif 000005